(57)【要約】【課題】  耕耘装置の深さ調節を行なうための尾輪の高さ調節と耕耘装置の後方を覆うリヤカバーと尾輪との間に設けた保護部材を一体的に回動させることで操作性の向上を行なうようにする。【解決手段】  耕耘装置５を装着した歩行型農作業機において、該耕耘装置５の後方に広幅状のリヤカバー２５を前後に揺動自在に垂設すると共に、前記リヤカバー２５と耕耘装置５の間に尾輪２６を上下動及び回動自在に設けると共に、リヤカバー２５の内方にリヤカバー２５が尾輪２６に接触するのを防止する保護部材４０を、尾輪２６と一体的に上下動及び回動自在に装着し、また、保護部材４０を尾輪２６上方で該尾輪２６の外周に略沿うように装着し、保護部材４０に尾輪２６の回動を所定角度に規制する回動規制部を設けた。【選択図】        図４
2006081417.tif 000002
【特許請求の範囲】
【請求項１】
耕耘装置を装着した歩行型農作業機において、該耕耘装置の後方に広幅状のリヤカバーを前後に揺動自在に垂設すると共に、前記リヤカバーと耕耘装置の間に尾輪を上下動及び回動自在に設けると共に、リヤカバーの内方にリヤカバーが尾輪に接触するのを防止する保護部材を、尾輪と一体的に上下動及び回動自在に装着したことを特徴とする歩行型農作業機。
【請求項２】
保護部材を尾輪上方で該尾輪の外周に略沿うように装着したことを特徴とする請求項１記載の歩行型農作業機。
【請求項３】
保護部材に尾輪の回動を所定角度に規制する回動規制部を設けたことを特徴とする請求項１乃至２記載の歩行型農作業機。
【発明の詳細な説明】
【技術分野】
【０００１】
本発明は、耕耘装置を装着した歩行型農作業機に関するものである。
【背景技術】
【０００２】
従来、一般に耕耘装置の背後には、泥よけのためゴム垂れカバーが耕耘装置及び尾輪を隠すようにして取付けられている。
【０００３】
そのため、耕耘装置を上方へ引き上げて旋回する際に、ゴム垂れカバーが耕耘装置や尾輪に接触して破損してしまうことがある。
【０００４】
そこで、耕耘装置のカバーの内側で且つ尾輪の直後方に、耕耘幅にマッチするガードを、尾輪の取付軸の嵌挿筒に上下調節可能に取り付けたものがある。（例えば、特許文献１参照。）
【特許文献１】特許第２９０３２０３号公報（図１、図２）。
【発明の開示】
【発明が解決しようとする課題】
【０００５】
ところが、上記したロータリにおける巻込み防止装置（特許文献１）では、ゴム垂れカバーがロータリに巻き込まれて破損するのを防止する手段はガードで構成されているが、ロータリの深さ調節をする際には尾輪の高さを上下調節するが、その際に、ガードの高さ位置を別途調節しなければ尾輪がガードと接触する恐れが有り、ガードによって尾輪が回転しなくなってしまうという問題があり、尾輪の高さを上下調節する時にはガードの高さ位置も別途調節しなければならず調整作業が大変面倒であった。
【課題を解決するための手段】
【０００６】
そこで、本発明は、耕耘装置を装着した歩行型農作業機において、耕耘装置を装着した歩行型農作業機において、該耕耘装置の後方に広幅状のリヤカバーを前後に揺動自在に垂設すると共に、前記リヤカバーと耕耘装置の間に尾輪を上下動及び回動自在に設けると共に、リヤカバーの内方にリヤカバーが尾輪に接触するのを防止する保護部材を、尾輪と一体的に上下動及び回動自在に装着したことを特徴とする歩行型農作業機を提供せんとするものである。
【０００７】
また、保護部材を尾輪上方で該尾輪の外周に略沿うように装着した歩行型農作業機を提供せんとするものである。
【０００８】
そして、保護部材に尾輪の回動を所定角度に規制する回動規制部を設けた歩行型農作業機を提供せんとするものである。
【発明の効果】
【０００９】
耕耘装置の深さの調節を必要とした場合において、尾輪の高さ調節と保護部材の調節を一度の操作によって行なうことが出来、作業能率が向上した。
【００１０】
また、機体を旋回させる際に機体を持ち上げた場合には、尾輪と一緒に保護部材を尾輪上方で該尾輪の外周に略沿うように装着したので、保護部材によって尾輪を保護することが出来た。
【００１１】
そして、機体を旋回させる際に機体を持ち上げた場合に、尾輪の必要以上の回動を規制する回動規制部を設けたことによって、尾輪を常に最適な角度に維持することが出来るようになった。
【発明を実施するための最良の形態】
【００１２】
以下に、本発明の実施例を図面を参照しながら説明する。
【００１３】
本発明の実施の形態を図面に基づいて説明する。図１は、本発明が適用される歩行型農作業機である管理機１の側面図であって、管理機１は、機体フレームを構成する側面視で略ヘ字状のミッションケース２が略中央に配設されており、このミッションケース２の前側下部に車軸３を軸架して走行車輪４を取付ける一方、ミッションケース２の後側下部には耕耘装置５の耕耘軸６を横架すると共に、該耕耘軸６の周囲に複数本の耕耘爪７を植設している。
【００１４】
また、ミッションケース２の前方に取付けたエンジンフレーム８上にエンジン９が載置されており、このエンジン９の一側に配設したベルトカバー１０内に設けられている図示しないプーリー、ベルト等を介して、エンジン９の駆動力をミッションケース２内の変速機構に伝え、該変速機構を介して変速された動力を走行車輪４や耕耘装置５に伝動するように構成してある。
【００１５】
５０は燃料タンクであり、５０ａは燃料タンク５０の上方に取付けられているキャップを示しており、キャップ５０ａは、燃料タンク５０に燃料を供給する時に燃料タンク５０から外した際に図６に示すようにエンジンフレーム８の前方に一段乃至は二段に取付けられたバランスウェイト５１ａ、５１ｂの５１ｂの凹部５１ｃに載置しておくことで、キャップ５０ａが紛失するのを未然に防止している。
また、バランスウェイト５１ａ、５１ｂのエンジンオイルＥの排出口９ａ側は図６（ａ）に示すように切欠部Ｘを設けることで、ウェイト５１ａ、５１ｂにエンジンオイルＥがかからないようにしている。
さらに、図７に示すようにエンジンオイルＥの排出口９ａの下方には、オイルＥを誘導案内する通路９ｂが側方へ向かって伸びているので、オイルＥは通路９ｂを伝わって地面に置かれた容器５２に落下するようになっている。
【００１６】
また、ミッションケース２の上部には、後方に向けてハンドル１１が延出してあり、このハンドル１１をオペレータが把持した状態で管理機１を走行させながらロータリ耕耘装置５を回転させることによって、耕耘作業を行なうことができるようになっている。
尚、ハンドル１１には、操作具としてメインクラッチレバー１２が設けてあり、このメインクラッチレバー１２を操作することによって、エンジン１１とミッションケース２との間に介設した図示しないテンションクラッチ機構を介して、エンジン１１とミッションケース３間の動力の断接がなされる。
尚、サイドクラッチレバー１１ｂから離れた位置で補助ループハンドル１１ａの中央付近にはハンドル上下調節レバー１３が取付けられており、該レバー１３を操作することによってワイヤ１３ａが引っ張られてアウタ１３ｂが操作されてハンドル１１が上下方向に回動自在に構成されている。  
従って、サイドクラッチレバー１１ｂとハンドル上下調節レバー１３とが双方に離れているので互いに間違えて操作することがなくなる。
【００１７】
そして、耕耘装置５の上方を覆うロータリカバー２１は側面視で湾曲状に形成されると共に、このロータリカバー２１の中央に一体的に固着したロータリフレーム２２を介してミッションケース２に螺設してある。また、ロータリカバー２１の左右両側には、サイドカバー２３を付設すると共に、ロータリカバー２１の前後には、耕耘装置５から放擲される耕耘土壌の飛散を防止する硬質製ゴムの飛散防止カバーであるフロントカバー２４と広幅状のリヤカバー２５を取付けている。リヤカバー２５は、固着具であるボルト２５ａによって前後揺動自在にロータリカバー２１に取付けられている。尚、ロータリフレーム２２の後端で耕耘装置５とリヤカバー２５の間には、深浅調節用の尾輪２６を設けている。
【００１８】
また、ロータリフレーム２２の後端に設けられている尾輪２６は、図４、図５に示すように、ハンドル２７の回転操作により高さ調節できるようになっており、その高さ調節機構は、ハンドル２７に設けた昇降螺子２８に尾輪２６を軸支する螺子筒２９を螺挿すると共に、この螺子筒２９を上下に内嵌させた支持筒３０等から構成されている。
そして、尾輪２６は、図５（ｂ）に示すように尾輪２６の回転中心から上方に向かって逆Ｕ字状に形成された取付ブラケット２６ａを有すると共に、取付ブラケット２６ａに尾輪２６が軸２６ｂを中心に回転するよう取付けられている。
該ブラケット２６ａの上方の軸２６ｃには外周に凹部２６ｄが形成され、螺子筒２９の下端に押ボルト２６ｅによって螺子筒２９に対して所定範囲で回動自在に取付けられていると共に、尾輪２６を有する取付ブラケット２６ａの螺子筒２９から脱落するのを防止している。
【００１９】
また、取付ブラケット２６ａには、図４（ａ）、図５（ａ）に示すように平面視Ｕ字状で端部４０ａ（回動規制部）が上方へ折り曲げられた棒状部材４０（保護部材）が尾輪２６上方で該尾輪２６の外周に略沿うように取付けられており、取付ブラケット２６ａの上方には棒状部材４０が固着されて取付けられており、尾輪２６の取付ブラケット２６ａが昇降及び回動するのに合わせて、棒状部材４０も一緒に昇降及び回動するように構成されている。
そして、図４（ｂ）に示すように、棒状部材４０の後方にはリヤカバー２５が位置しており、棒状部材４０によってリヤカバー２５が尾輪２６に接触して巻き込まれるのを防止している。
次に、図５（ｂ）に示すように、機体を旋回させるべくハンドル１１を若干持ち上げると尾輪２６が旋回方向を向くように回動するが、その時にも、棒状部材４０も一体的に回動はするが、その時、リヤカバー２５は耕耘装置５や尾輪２６に接触しないように構成されている。
また、螺子筒２９の下端外周の一部分には突状部材４１が設けられており、上述した尾輪２６が取付ブラケット２６ａと一体的に回動した際に、棒状部材４０も一緒に回動して約９０°回動すると図５の状態に示すように突状部材４１に棒状部材４０の端部４０ａが接当して尾輪２６のそれ以上の回動を規制するように構成している。
尚、本実施例では保護部材４０を棒状部材で構成しているが、棒状部材に限らず板状部材でも何ら構わないものである。
【図面の簡単な説明】
【００２０】
【図１】本発明に係る耕耘装置付き管理機の側面図である。
【図２】本発明に係る耕耘装置付き管理機の平面図である。
【図３】（ａ）はハンドルの平面図である。  （ｂ）はハンドルの側面図である。
【図４】（ａ）は尾輪が進行方向を向いた状態を示す要部側面図である。  （ｂ）は（ａ）の矢印Ａより見た尾輪部分の概略平面図である。
【図５】（ａ）は尾輪が進行方向に対して直角方向を向いた状態を示す要部側面図である。  （ｂ）は（ａ）の矢印Ｂより見た尾輪部分の概略平面図である。
【図６】（ａ）はエンジン廻りを示す平面図である。  （ｂ）はエンジン廻りを示す側面図である。
【図７】エンジンからエンジンオイルを抜き取る状態を示す側面図である。
【符号の説明】
【００２１】
１        管理機
５        耕耘装置
２５        リヤカバー
２６        尾輪  
４０        棒状部材（保護部材）
４０ａ      端部（回動規制部）
【図１】
2006081417.tif 000003
【図２】
2006081417.tif 000004
【図３】
2006081417.tif 000005
【図４】
2006081417.tif 000006
【図５】
2006081417.tif 000007
【図６】
2006081417.tif 000008
【図７】
2006081417.tif 000009